【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
発光位置と非発光位置との間を移動可能な発光手段と、
ユーザの手動操作に応じて、撮像準備を指示する第１の状態に変化する指示手段と、
前記指示ユニットが前記第１の状態にされたことに応じて、撮影シーンに基づいて前記発光手段の発光判定を行う発光判定手段と、
を有し、
前記発光判定手段は、前記指示手段が前記第１の状態にされたことに応じて前記発光手段を発光させないと判定した場合、前記指示手段が前記第１の状態に維持されている間にユーザによって前記発光手段を前記発光位置へと移動させる操作がされたことに応じて、事前に設定されている前記発光手段の発光モードに依らずに、前記発光手段を発光させると判定することを特徴とする撮像装置。
【請求項２】
前記発光手段の位置を判定する位置判定手段と、
撮影シーンを判定するシーン判定手段と、を有し、
前記発光判定手段は、前記指示手段が前記第１の様態にされたことに応じて、前記位置判定手段と前記シーン判定手段との判定結果に基づいて第１の発光判定を行うことを特徴とする請求項１に記載の撮像装置。
【請求項３】
前記発光判定手段は、前記指示手段が前記第１の状態に維持されている間にユーザによって前記発光手段を移動させる操作がされたことに応じて、前記位置判定手段の判定結果のみに基づく第２の発光判定を行うことを特徴とする請求項２に記載の撮像装置。
【請求項４】
前記発光判定手段は、前記第２の発光判定において、前記位置判定手段により前記発光手段が前記発光位置に位置していると判定された場合に、前記発光手段を発光させると判定し、前記位置判定手段により前記発光手段が前記非発光位置に位置していると判定された場合に、前記発光手段を発光させないと判定することを特徴とする請求項３に記載の撮像装置。
【請求項５】
ユーザの手動操作によって、前記発光手段の前記発光位置と前記非発光位置との間での移動を指示する位置変更手段を有し、
前記発光判定手段は、前記指示手段が前記第１の状態に維持されている間にユーザが前記位置変更手段を操作したことに応じて前記第２の発光判定を行うことを特徴とする請求項３又は４に記載の撮像装置。
【請求項６】
前記発光手段は、ユーザによる前記位置変更手段の操作に応じて、前記撮像装置から突出した前記発光位置と前記撮像装置内部に収納された前記非発光位置との間を移動可能であることを特徴とする請求項５に記載の撮像装置。
【請求項７】
前記発光判定手段の判定結果に基づいて前記発光手段の発光を制御する発光制御手段を有し、
前記発光制御手段は、前記指示手段が前記第１の状態に維持されている間に、ユーザによって前記発光手段の位置が変更されない場合に、前記第１の発光判定の判定結果に基づいて前記発光手段の発光を制御することを特徴とする請求項３乃至６の何れか一項に記載の撮像装置。
【請求項８】
前記第１の発光判定と前記第２の発光判定との判定結果とが異なる場合に、前記第２の発光判定の判定結果に基づいて、被写体を撮像する際の露出量を設定する露出制御手段を有することを特徴とする請求項３乃至７の何れか一項に記載の撮像装置。
【請求項９】
前記指示手段は、ユーザにより第１の操作量で手動操作されることに応じて前記第１の状態となり、ユーザにより前記第１の操作量よりも大きい第２の操作量で手動操作されることに応じて前記第１の状態とは異なる第２の状態となり、
前記第２の状態は、被写体の撮像開始を指示する状態であることを特徴とする請求項１乃至８の何れか一項に記載の撮像装置。
【請求項１０】
発光手段と、前記発光手段の発光モードを、前記発光手段の発光の要否を手動操作に基づいて設定する手動設定モードと、前記発光手段の発光の要否を撮影シーンに基づいて自動で設定する自動設定モードに設定することが可能なモード設定手段と、
前記モード設定手段によって設定された発光モードが、被写体の撮影準備が指示されているときに変更されたか否かを判定する変更判定手段と、
被写体の撮影準備が指示されているときに前記発光手段の発光の要否を判定する発光判定手段と、
を有し、
前記発光判定手段は、前記被写体の撮影準備が指示される前に前記手動設定モードが設定されていた場合であって、前記変更判定手段によって前記自動設定モードに変更されたと判定されたときは、前記発光手段の発光の要否を、被写体の撮影準備が指示される前に前記手動設定モードによって設定された発光の要否とは逆にすることを特徴とする撮像装置。
【請求項１１】
前記手動設定モードは、前記発光手段を強制的に発光させる強制発光モードと、前記発光手段を強制的に非発光にさせる強制非発光モードとを含むことを特徴とする請求項１０に記載の撮像装置。
【請求項１２】
発光位置と非発光位置との間を移動可能な発光手段と、ユーザの手動操作に応じて、撮像準備を指示する第１の状態に変化する指示手段と、を備える撮像装置の制御方法であって、
前記指示手段が前記第１の状態にされたことに応じて、撮影シーンに基づいて前記発光手段の発光判定を行う発光判定工程を有し、
前記発光判定工程では、前記指示手段が前記第１の状態にされたことに応じて前記発光手段を発光させないと判定した場合、前記指示手段が前記第１の状態に維持されている間にユーザによって前記発光手段を前記発光位置へと移動させる操作がされたことに応じて、事前に設定されている前記発光手段の発光モードに依らず、前記発光手段を発光させると判定することを特徴とする撮像装置の制御方法。
【請求項１３】
発光手段を備える撮像装置の制御方法であって、前記発光手段の発光モードを、前記発光手段の発光の要否を手動操作に基づいて設定する手動設定モードと、前記発光手段の発光の要否を撮影シーンに基づいて自動で設定する自動設定モードに設定することが可能なモード設定工程と、
前記モード設定工程によって設定された発光モードが、被写体の撮影準備が指示されているときに変更されたか否かを判定する変更判定工程と、
被写体の撮影準備が指示されているときに前記発光手段の発光の要否を判定する発光判定工程と、を有し、
前記発光判定工程は、前記被写体の撮影準備が指示される前に前記手動設定モードが設定されていた場合であって、前記変更判定工程によって前記自動設定モードに変更されたと判定されたときは、前記発光手段の発光の要否を、被写体の撮影準備が指示される前に前記手動設定モードによって設定された発光の要否とは逆にすることを特徴とする撮像装置の制御方法。
【請求項１４】
請求項１２又は１３に記載の撮像装置の制御方法をコンピュータに実行させるためのコンピュータで読み取り可能なプログラム。
【手続補正２】
【補正対象書類名】明細書
【補正対象項目名】０００７
【補正方法】変更
【補正の内容】
【０００７】
上記目的を達成するための本発明のかかる撮像装置は、発光位置と非発光位置との間を移動可能な発光手段と、ユーザの手動操作に応じて、撮像準備を指示する第１の状態に変化する指示手段と、前記指示ユニットが前記第１の状態にされたことに応じて、撮影シーンに基づいて前記発光手段の発光判定を行う発光判定手段と、を有し、前記発光判定手段は、前記指示手段が前記第１の状態にされたことに応じて前記発光手段を発光させないと判定した場合、前記指示手段が前記第１の状態に維持されている間にユーザによって前記発光手段を前記発光位置へと移動させる操作がされたことに応じて、事前に設定されている前記発光手段の発光モードに依らずに、前記発光手段を発光させると判定することを特徴とする。
【手続補正３】
【補正対象書類名】明細書
【補正対象項目名】０００８
【補正方法】変更
【補正の内容】
【０００８】
また、上記目的を達成するための他の本発明にかかる撮像装置は、発光手段と、前記発光手段の発光モードを、前記発光手段の発光の要否を手動操作に基づいて設定する手動設定モードと、前記発光手段の発光の要否を撮影シーンに基づいて自動で設定する自動設定モードに設定することが可能なモード設定手段と、前記モード設定手段によって設定された発光モードが、被写体の撮影準備が指示されているときに変更されたか否かを判定する変更判定手段と、被写体の撮影準備が指示されているときに前記発光手段の発光の要否を判定する発光判定手段と、を有し、前記発光判定手段は、前記被写体の撮影準備が指示される前に前記手動設定モードが設定されていた場合であって、前記変更判定手段によって前記自動設定モードに変更されたと判定されたときは、前記発光手段の発光の要否を、被写体の撮影準備が指示される前に前記手動設定モードによって設定された発光の要否とは逆にすることを特徴とする。
【手続補正４】
【補正対象書類名】明細書
【補正対象項目名】０００９
【補正方法】削除
【補正の内容】